(57)【要約】      （修正有）【課題】打球の指向性を高めて、ゴルフボールの飛行距離を伸ばすことができるゴルフティーを提供する。【解決手段】縦方向に伸ばされるロッド部１１、ロッド部から縦方向に伸ばされる釘部１２を備える台座１、及びロッド部の上表面の周縁に位置する少なくとも三つの支持バンプ２１を備え、複数の支持バンプはロッド部の上表面の周縁の周縁線に沿ってそれぞれの間に間隔距離２２で離れていて、そのうちの一つの間隔２２１が他より大きく離れ、且つ他のすべての間隔距離２２２が実質的に同等の球受け部２を構成する。複数の支持バンプはゴルフボールとの間の摩擦を効果的に減少させ、かつ支持バンプの最大間隔はゴルフボールの飛行方向に対応して、ゴルフボールが打たれた時にゴルフティーと衝突させないようにして飛行距離を伸ばす。【選択図】図１
0003192851.tif 000002
【実用新案登録請求の範囲】
【請求項１】
ゴルフにおいて使用されるゴルフティーであって、
縦方向に伸ばされるロッド部と、前記ロッド部から縦方向に伸ばされる釘部とを備える台座と、
前記ロッド部の上表面の周縁に位置する少なくとも三つの支持バンプを備え、前記複数の支持バンプが前記ロッド部の前記上表面の周縁の周縁線に沿ってそれぞれの間に間隔距離で離れ、そのうちの一つの間隔が他より大きく離れ、且つ他のすべての間隔が実質的同等の球受け部とを備えるゴルフティー。
【請求項２】
前記釘部が下に向って先窄まりの挿入部を備えることを特徴とする請求項１に記載のゴルフティー。
【請求項３】
前記釘部が前記挿入部と前記ロッド部との間で連接される胴部を備えることを特徴とする請求項２に記載のゴルフティー。
【請求項４】
前記ロッド部が両端から中心に向って尻窄まりのネック部を形成することを特徴とする請求項１に記載のゴルフティー。
【請求項５】
前記支持バンプに半球状頂部を備えることを特徴とする請求項１に記載のゴルフティー。
【請求項６】
前記支持バンプが前記半球状頂部と前記ロッド部の上表面の間に連接され、前記半球状頂部と同じ径を持つ円筒部を備えることを特徴とする請求項５に記載のゴルフティー。
【請求項７】
前記ロッド部の上表面が縦方向に伸ばされるボール収容窪みを備えることを特徴とする請求項１に記載のゴルフティー。
【請求項８】
前記球受け部において、最も大きく離れる間隔にマーク部を備えることを特徴とする請求項１に記載のゴルフティー。
【考案の詳細な説明】
【技術分野】
【０００１】
本考案はゴルフ用品に関するものであり、特にゴルフティーに関する考案である。
【背景技術】
【０００２】
ゴルフの普及とともに、ゴルフに関わる商品、例えばゴルフクラブ、ゴルフボール及びゴルフティーなどの改良も続けられている。
【０００３】
ゴルフティーとは使用者が地面に挿入して、ゴルフボールをゴルフティーの凹みのある頂端に置くことで、使用者にとってゴルフボールを打ちやすくするためのものである。使用しやすいゴルフティーは、使用者にとって打ちやすいだけでなく、ゴルフの楽しさをも増進させる。
【考案の概要】
【考案が解決しようとする課題】
【０００４】
しかしながら、従来のゴルフティーはゴルフボールを置くだけで、打球の便利性またはゴルフボールを置く向きに関する設計を伴うものとしては存在していない。従来のゴルフティーはゴルフティーの凹みのある頂端だけにゴルフボールを置くようになっている。しかし凹みのある頂端はゴルフボールと多くの接触面積を持つため、ゴルフボールが打たれる時にゴルフティーと摩擦や衝突が発生し、打球のエネルギーは従来のゴルフティーに吸収され、ゴルフボールの飛行経路誤差及び飛行距離減少を引き起こす。
【課題を解決するための手段】
【０００５】
故に、本考案の目的は打球の指向性を高め、ゴルフボールの飛行距離を伸ばすことができるゴルフティーを提供する。
【０００６】
本考案は従来の技術が抱えてきた問題を解決する手段として、ゴルフにおいて使用されるゴルフティーであって、縦方向に伸ばされるロッド部、及び前記ロッド部から縦方向に伸ばされる釘部を備える台座及び前記ロッド部の上表面の周縁に位置する少なくとも三つの支持バンプを備え、前記複数の支持バンプは前記ロッド部の前記上表面の周縁の周縁線に沿ってそれぞれの間に間隔距離で離れていて、そのうちの一つの間隔が他より大きく離れ、且つ他のすべての間隔距離が実質的に同等の球受け部を備えるゴルフティーを提供する。
【０００７】
本考案の１つの実施形態では、前記釘部が下に向って尻窄まりの挿入部を備える。
【０００８】
本考案の１つの実施形態では、前記釘部が前記挿入部と前記ロッド部との間に連接される胴部を備える。
【０００９】
本考案の１つの実施形態では、前記ロッド部が両端から中心に向って尻窄まりのネック部を形成する。
【００１０】
本考案の１つの実施形態では、前記支持バンプに半球状頂部を備える。
【００１１】
本考案の１つの実施形態では、前記支持バンプが前記半球状頂部と前記ロッド部の上表面の間に連接され、前記半球状頂部と同じ径を持つ円筒部を備える。
【００１２】
本考案の１つの実施形態では、前記ロッド部の上表面が縦方向に伸ばされるボール収容窪みを備える。
【００１３】
本考案の１つの実施形態では、前記球受け部において、最も大きく離れた間隔にマーク部が備わる。
【考案の効果】
【００１４】
本考案のゴルフティーは次の効果を有する。球受け部の複数の支持バンプはゴルフティーとゴルフボールとの間の摩擦を効果的に減少させ、かつ支持バンプの最大間隔はゴルフボールの飛行方向に対応して、ゴルフボールが打たれた時にゴルフティーと衝突させないようにすることにより、ゴルフボールの飛行距離を減少させない。なお、最大間隔に隣接する二つの支持バンプはゴルフボールを正確な飛行方向に導くことができ、打球の指向性がより精密になる。
【図面の簡単な説明】
【００１５】
【図１】図１は本考案の実施形態のゴルフティーの斜視図である。
【図２】図２は本考案の実施形態のゴルフティーの上面図である。
【図３】図３は本考案の実施形態のゴルフティーの使用状況を示す図である。
【考案を実施するための形態】
【００１６】
以下は図１〜図３に基づいて、本考案の実施形態について説明する。該当説明は本考案の実施形態の一つの例示にすぎず、本考案の実施形態を限定するものではない。
【００１７】
図１〜図３が示すように、本考案の実施形態のゴルフティー１００は、台座１及び球受け部２を備える。前記台座１は縦方向に伸ばされるロッド部１１及び釘部１２が備わる。前記釘部１２は前記ロッド部１１から縦方向に伸ばされる。前記球受け部２は前記ロッド部１１の上表面１１１に位置し、前記球受け部２は前記ロッド部１１の前記上表面１１１の周縁に位置する少なくとも三つの支持バンプ２１を備え、隣接の二つの前記支持バンプ２１は前記ロッド部１１の前記上表面１１１の周縁の周縁線に沿ってそれぞれの間に間隔距離で複数の間隔２２で離れている。前記間隔２２は前記隣接する二つの支持バンプ２１間の弧長である。前記複数の間隔の中には一つの最大間隔２２１が備わり、且つ他のすべての間隔２２２は実質的同等である。具体的には、図２が示すように、前記間隔２２１は前記複数の支持バンプ２１における二つの支持バンプ２１ａ、２１ｂの間で形成される。
【００１８】
図１〜図３が示すように、本考案の実施形態のゴルフティー１００は、前記球受け部２が前記最大間隔と隣接する所はマーク部２３が備わり、これにより最大間隔２２１が鑑別される。使用時、前記ゴルフティー１００は前記最大間隔２２１が球受け部２に収容されるゴルフボールＢの飛行方向Ｄに対応するように設置される。前記間隔２２１により前記ゴルフボールＢが打たれる時支持バンプ２と衝突することを避けることで、前記支持バンプに吸収される打球のエネルギーの減少故に前記ゴルフボールＢの飛行距離が減少するのが避けられる。なお、前記二つの支持バンプ２１ａ、２１ｂはゴルフボールＢを前記飛行方向Ｄに向って飛ばすことができ、前記ゴルフボールＢの飛行方向Ｄを矯正して、打球の指向性が高められる。
【００１９】
図１及び図３が示すように、前記釘部１２は下に向って尻窄まりの挿入部１２１及び胴部１２２が選択的に備わる。そして前記胴部１２２が簡単に地面に挿入できるように前記挿入部１２１と前記ロッド部１１の下表面１１２の間に連接される。前記釘部１２が地面ｇに挿入される時、前記ロッド部１１の前記下表面１１２は地面に貼り付けられることにより位置限定として使用され、前記釘部１２の適当な挿入深度を維持する。
【００２０】
図１及び図３が示すように、前記ロッド部１１にネック部１１３が備わればより好ましい。前記ネック部１１３は前記ロッド部が両端から中心に向って窄まることにより形成される。前記ネック部１１３は指で挟むことができ、より簡単に前記釘部１２を地面に刺すことができ、より簡単に地面から引き抜くことができる。
【００２１】
図１及び図３が示すように、本考案の実施形態のゴルフティー１００は、前記支持バンプ２１に半球状頂部２１１が備わり、それにより前記支持バンプ２１とゴルフボールＢとの間の摩擦を減少させる。本実施形態において、前記支持バンプ２１に円筒部２１２を備え、前記円筒部２１２は前記半球状頂部２１１と前記ロッド部１１の前記上表面１１１との間に連接され、そして前記半球状頂部２１１の径は前記円筒部２１２と同等である。
【００２２】
図１が示すように、本考案の実施形態のゴルフティー１００は、前記ロッド部１１の前記上表面１１１にボール収容窪み１１４が備わり、前記ボール収容窪み１１４は筒状で縦に伸ばされる。本実施形態において、前記ボール収容窪み１１４は上ボール収容部１１５及び下ボール収容部１１６を備える。そして前記上ボール収容部１１５の径は下ボール収容部１１６より大きい。
【００２３】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２４】
１００    ゴルフティー
１        台座
１１      ロッド部
１１１    上表面
１１２    下表面
１１３    ネック部
１１４    ボール収容窪み
１１５    上ボール収容部
１１６    下ボール収容部
１２      釘部
１２１    挿入部
１２２    胴部
２        球受け部
２１、２１ａ、２１ｂ  支持バンプ
２１１    半球状頂部
２１２    円筒部
２２，２２１、２２２  隙間部
２３      マーク部
【図１】
0003192851.tif 000003
【図２】
0003192851.tif 000004
【図３】
0003192851.tif 000005